(57)【要約】 【課題】  玩具的な要素を取り入れることで、購入者が楽しみながら氷菓子を作ることが可能な氷菓子製造器を提供することにある。【解決手段】  内部に空間Ｓを有し且つ軸部２ａ，２ｂを介して互いが連結した左右一対の回転体１ａ，１ｂと、前記軸部２ａ，２ｂに一端を固着した紐３と、から構成し、前記空間Ｓは、内空間Ｑと、この内空間Ｑを囲むように配設した外空間Ｐとからなり、さらに内空間Ｑ及び外空間Ｐには、一方の空間Ｑに保冷剤６を収め、また他方の空間Ｐに氷菓子原料５を収めることが可能であり、前記各空間Ｐ，Ｑのうちの少なくとも氷菓子原料５を収める側には、回転体１ａ，１ｂ外への開放口Ｒを、蓋２３による閉塞が可能な状態で設けていることを特徴とする。【選択図】    図２ 
2005348723.tif 000002
【特許請求の範囲】
【請求項１】
内部に空間（Ｓ）を有し且つ軸部（２ａ，２ｂ）を介して互いが連結した左右一対の回転体（１ａ，１ｂ）と、前記軸部（２ａ，２ｂ）に一端を固着した紐（３）と、から構成し、
前記空間（Ｓ）は、内空間（Ｑ）と、この内空間（Ｑ）を囲むように配設した外空間（Ｐ）とからなり、さらに内空間（Ｑ）及び外空間（Ｐ）には、一方の空間（Ｐ又はＱ）に保冷剤（６）を収め、また他方の空間（Ｐ又はＱ）は氷菓子原料（５）を収めることが可能であり、
前記各空間（Ｐ，Ｑ）のうちの少なくとも氷菓子原料（５）を収める側には、回転体（１ａ，１ｂ）外への開放口（Ｒ）を閉塞が可能に形成してあることを特徴とする氷菓子製造器。
【請求項２】
前記回転体（１ａ，１ｂ）の一方回転体（１ａ）は、軸部（２ａ）側に備えたベース部（７）と、このベース部（７）の外側において着脱可能に取り付けられる膨らみをもったカバー部（８）と、ベース部（７）とカバー部（８）とに囲まれた空間（Ｓ）と、該空間（Ｓ）内に嵌挿可能なユニット（１５，１７，２３）とから構成し、
前記ユニット（１５，１７，２３）は、カバー部（８）の内周側に沿う膨らみをもった外パーツ（１７）と、この外パーツ（１７）の内側において取り付けられる膨らみをもった内パーツ（１５）と、内パーツ（１５）と外パーツ（１７）とに囲まれた外空間（Ｐ）と、該内パーツ（１５）の内周側を塞ぐ蓋（２３）と、内パーツ（１５）と蓋（２３）とに囲まれた内空間（Ｑ）とからなり、
内空間（Ｑ）及び外空間（Ｐ）の一方（Ｐ又はＱ）に保冷剤（６）を収め、また他方（Ｐ又はＱ）に氷菓子原料（５）を収めることが可能であり、また他方回転体（１ｂ）は、ベース部（７）に一方回転体（１ａ）の軸部（２ａ）と連結する軸部（２ｂ）を設ける以外、一方回転体（１ａ）と対称形状をなすことを特徴とする請求項１記載の氷菓子製造器。
【請求項３】
前記保冷剤（６）は、内空間（Ｐ）又は外空間（Ｑ）のいずれかに密閉状態で収めてあることを特徴とする請求項１又は２記載の氷菓子製造器。
【請求項４】
前記保冷剤（６）は、塩化カリウムを重量比で１０〜２０％配合していることを特徴とする請求項１、２又は３記載の氷菓子製造器。
【請求項５】
前記保冷剤（６）は、カルボキシルメチルセルロースを重量比で１．０〜２．０％配合していることを特徴とする請求項４記載の氷菓子製造器。
【発明の詳細な説明】
【技術分野】
【０００１】
この発明は、保冷手段を用いて氷菓子を製造するための氷菓子製造器に関するものである。
【背景技術】
【０００２】
アイスクリームやシャーベットに代表される氷菓子を自宅で作る場合、専用の氷菓子製造器を用いることが多く、例えばアイスクリームを作るのであれば、冷やされた容器の中にミルクや砂糖をベースとした氷菓子原料を投入し、この氷菓子原料が空気を取り込んで凍るように箆などで掻き混ぜることで作られるものであった。
【発明の開示】
【発明が解決しようとする課題】
【０００３】
しかしながら前述した氷菓子製造器を用いた場合、所定の容器内で氷菓子原料を掻き混ぜる単純な作業を延々と繰り返さなければならず、これが非常に骨の折れるものであったため、購入者が自宅で氷菓子を作りたい気持ちをもつにも関わらず、その手間を考えると、つい手軽に氷菓子を食べられることを求めて、店頭販売された既製品を購入してしまうのが現状であった。
【０００４】
本発明は上記課題を鑑みてなされたものであり、玩具的な要素を取り入れることで、購入者が楽しみながら氷菓子を作ることのできる氷菓子製造器を提供することにある。
【課題を解決するための手段】
【０００５】
本発明のうち請求項１記載の発明は、内部に空間を有し且つ軸部を介して互いが連結した左右一対の回転体と、前記軸部に一端を固着した紐と、から構成し、前記空間は、内空間と、この内空間を囲むように配設した外空間とからなり、さらに内空間及び外空間には、一方の空間に保冷剤を収め、また他方の空間に氷菓子原料を収めることが可能であり、前記各空間のうちの少なくとも氷菓子原料を収める側には、回転体外への開放口を閉塞が可能に形成していることを特徴とする。
【０００６】
また本発明のうち請求項２記載の発明では、前記回転体の一方は、軸部側に備えたベース部と、このベース部の外側において着脱可能に取り付けられる膨らみをもったカバー部と、ベース部とカバー部とに囲まれた空間と、該空間内に嵌挿可能なユニットとから構成し、前記ユニットは、カバー部の内周側に沿う膨らみをもった外パーツと、この外パーツの内側において取り付けられる膨らみをもった内パーツと、内パーツと外パーツとに囲まれた外空間と、該内パーツの内周側を塞ぐ蓋と、内パーツと蓋とに囲まれた内空間とからなり、内空間及び外空間の一方に保冷剤を収め、また他方に氷菓子原料を収めることが可能であり、また他方回転体は、ベース部に一方回転体の軸部と連結する軸部を設ける以外、一方回転体と対称形状をなすことを特徴とし、また請求項３のように、前記保冷剤は、内空間又は外空間のいずれかに密閉状態で収めることを特徴としている。
【０００７】
氷菓子とは例えば、アイスクリームやシャーベットなどに代表される冷やした状態で食する食品のすべてを意味している。またカバー部及びベース部の形状は、各々を取り付けた際に、その内部に空間を形成できるような形状であれば特に限定するものではなく、例えば一方がドーム状、あるいは半球状をなし、他方が皿状、あるいは板状をなすものなどが挙げられる。また蓋とは、その取付時に内空間又は外空間を一時的に閉塞できる手段のすべてを意味している。さらに蓋を設ける箇所についても限定しないが、氷菓子の製造時、購入者の手の触れない箇所に設けることが望ましい。また本氷菓子製造器の素材についても特に限定しないが、軽量で且つ丈夫な樹脂で成形することが望ましい。さらに内空間または外空間において保冷剤を密閉する場合、各パーツ間の接合部分を溶着、あるいはシールする等の手法がとられる。
【０００８】
以上のように構成した本発明の氷菓子製造器では、購入者はまず回転体の内空間と外空間との中に保冷剤と氷菓子原料とを入れ、さらに紐の他端に指を掛け、軸部に巻き付けた紐をヨーヨーで遊ぶように操作しながら回転体に回転力を付与することで、この回転体の空間内に収められた氷菓子原料は、その空間内に残存している空気と混合しながら攪拌されると同時に保冷剤の冷気によって徐々に凍っていき、最終的にきめの細やかなソフトシャーベット状の氷菓子を製造することができる。また出来上がった氷菓子は、ベース部からカバー部を外してユニットを取り出した後、このユニットの蓋を剥ぐって開放口から取り出すことで得られる。また請求項３記載のように構成すれば、保冷剤が密閉された状態にあって直接且つ容易に触れられない構造となる。
【０００９】
また本発明のうち請求項４記載の発明では、前記保冷剤は塩化カリウムを重量比で１０〜２０％配合していることから、この塩化カリウムの配合によって氷結時の保冷剤の温度が−１３〜−１６℃の範囲内に保たれることで、保冷剤全体を氷部分が占める状態となる。このことから、保冷剤の温度が比較的高い場合に起こっていた液部分と氷部分との混在による斑の発生が解消されるので、内空間又は外空間のいずれかにおける保冷剤の重量バランスが空間全体に均等に保たれ、紐を使ってヨーヨー的に回転体を上下した際に、この回転体が左右に不規則に揺れることなく、縦方向にしっかりとした前後回転がなされる。また請求項５のように、前述した塩化カリウムに加えてカルボキシルメチルセルロースを重量比で１．０〜２．０％配合すれば、保冷剤の粘結性が増大し、該保冷剤が氷菓子原料を包み込んだ状態に長時間保形されるので、保冷効果の持続の延長が期待できる。
【００１０】
保冷剤への塩化カリウムの配合割合を、保冷剤全体の約１０〜２０％の範囲内としたのは、この温度範囲内であれば確実に保冷剤全体が氷部分で占められるからである。また仮に塩化カリウムが２０％を越えて配合されていても、保冷剤の冷却温度は横這いとなるから意味がなく、一方１０％未満であれば、保冷剤の温度が上がって液部分と氷部分との斑が生じることになる。またカルボキシルメチルセルロースは、配合割合が１．０％以下であれば期待するほどの冷却の持続効果は得られず、反対に配合割合が２．０％を越えれば粘結性が強くなり過ぎるから、保冷剤の氷結時、内空間又は外空間と一致しない歪な形状となる懸念がある。
【発明の効果】
【００１１】
本発明によれば、氷菓子作りに遊びの要素を持たせることで、従来の氷菓子作りにあった単調で且つ骨の折れる作業を強いられるイメージが払拭され、結果、購入者が楽しみながら手軽に利用可能な氷菓子製造器を提供できる。
【００１２】
またヨーヨーで遊ぶように氷菓子が作られることから、従来のように手で箆を回す態様の氷菓子製造器では得られない回転力を製造時に付与できるので、迅速に氷菓子を製造できる。
【００１３】
さらに請求項３記載の発明によれば、氷菓子製造器から保冷剤が取り出せず、これにより使用者が誤って保冷剤を飲み込むような事故が防がれ、一層安全に使用できる。
【００１４】
また本発明のうち請求項４記載の発明によれば、保冷剤が均等に固化して使用時の安定性が高まることで、氷菓子製造器の性能の向上と共にヨーヨー玩具としての商品的な魅力も増大し、また請求項５記載の発明によれば、氷菓子原料への冷却効果の更なる持続が期待できる。
【発明を実施するための最良の形態】
【００１５】
本発明の氷菓子製造器の一実施形態を各図面に基づいて説明する。
まず図１を参照して本実施形態の氷菓子製造器を簡単に説明すると、軸部２ａ，２ｂを介して各々が対向する左右一対の回転体１ａ，１ｂと、前記軸部２ａ，２ｂに一端を結び付けられると共に他端には指を嵌めるためのリング４を備えた紐３とからなっており、使用時には、前記回転体１ａ，１ｂの内部にアイスクリーム原料５と保冷剤６とを収めた状態で紐３を軸部２ａ，２ｂに巻き付けた後、ヨーヨーで遊ぶように回転体１ａ，１ｂに対して紐３の巻き付け、或いは巻き戻しを繰り返しながら回転力を付与することにより、当該各回転体１ａ，１ｂ内においてアイスクリームを製造するものである。
【００１６】
まず回転体１ａ，１ｂは図２のように、皿状をなすベース部７と、このベース部７と嵌合するドーム状に膨らんだ形状をなすカバー部８とから、その内部に空間Ｓを形成しており、この空間Ｓには、アイスクリーム原料５と保冷剤６とを個々に隔てて収められるユニット１５，１７，２３を、着脱可能に出し入れできるよう構成している。
尚、符号２６は、カバー部８内周面側とユニット１５，１７，２３における外パーツ１７外周面側との接触部位となるガイドリングであり、このガイドリング２６同士の接触によりユニット１５，１７，２３の回転方向が、カバー部８内において一定の方向に定められるものである。
【００１７】
またベース部７とカバー部８との嵌合構造を各図を参照にして更に詳細に説明すると、カバー部７の下端縁には図３に示すように、全周に亘って断続的に６箇所に各々配置した鍔１０を有しており、一方、ベース部７の外周縁には、軸部２ａ，２ｂ側に向けて内向きに開口した溝１１を設けてあり、さらに溝１１を構成する外側壁２４に前記各鍔１０の差し込まれる切欠１２を６箇所に配設しており、当該各切欠１２を入口として各鍔１０が溝１１に沿って摺動可能な状態で嵌り込むことで、各鍔１０と溝１１外側壁２４とが係止されて、ベース部７とカバー部８とが嵌合することとなる。ここで各鍔１０と各切欠１２との位置が一致した際、ベース部７とカバー部８との脱着を行えるものであるが、このままでは本氷菓子製造器の使用中、ベース部７からカバー部８が回転時の遠心力によって摺動し、不意に離脱する懸念があることから、この離脱を防ぐためのストッパーを設けている。そしてストッパーは図４のように、ベース部７の径方向に沿った一部分が２本のスリットＬ，Ｌによって他と分割してあり、この分断された片状部位１３ａの押圧部位１３ｂを使用者が指で押し込んだ際、元の位置に弾性的に復帰するように形成されている。さらに前記片状部位１３ａの押圧部位１３ｂには、溝１１を塞ぐような突起１４が設けてあり、片状部位１３ａが元位置にある場合、溝１１内を摺動する各鍔１０が突起１４に遮られることで、それ以上の溝１１内の摺動を行わない。また押圧部位１３ｂを指で押し込んで片状部位１３ａを弾性に逆らって変形させた場合には、これと同時に突起１４も軸部２ａ，２ｂ側に移動することで溝１１が全通し、各鍔１０の溝１１における自由な摺動を許可できる（図５（ａ）（ｂ）参照）。
【００１８】
また前記突起１４の一側には、テーパ２７を設けており、ベース部７へのカバー部８の取付時、各切欠１２から入れた各鍔１０を溝１１に沿って摺動させる際に、あえて片状部位１３ａを押し下げなくても、鍔１０が前記テーパ２７に沿って滑らかに摺動して突起１４が自然に押し込まれるので、該鍔１０がスムーズに片状部位１３ａの他方側に摺動する。
【００１９】
次に図６を参照して前記ユニット１５，１７，２３について詳細に説明すると、このユニット１５，１７，２３は、左右側端部の全周に亘って鍔部を備えたドーム状をなす内パーツ１５と、前記鍔部の外側周面と内法の径がほぼ一致したドーム状をなす外パーツ１７と、前記内パーツ１５の開放口Ｒを塞ぐ扁平な蓋２３とから構成している。また内パーツ１５と外パーツ１７とは、内パーツ１５の鍔部の外側周面に沿って連続して設けられた凸部１８に、外パーツ１７の左右側端部の内周面側の全周に亘って設けられた凹溝１９が嵌り込み、これにより内パーツ１５と外パーツ１７とによって囲まれた外空間Ｐが形成されるが、この外空間Ｐにはゲル状をなす保冷剤６が収められる。また内パーツ１５の周壁は鍔部よりも軸部２ａ，２ｂ側に向けて突出しており、一方、蓋２３の外周縁には、全周に亘ってＵ字溝２０を設けており、このＵ字溝２０を内パーツ１５の突出部分２１に対してスナップ式に嵌め込むことで、内パーツ１５の内周面側が蓋２３によって塞がれ、ここで内パーツ１５と蓋２３とによって形成された内空間Ｑ内には、アイスクリーム原料５が収められる。
尚、符号２５は、蓋２３を剥がしやすくするためのツマミである。
【００２０】
次に、本氷菓子製造器の実際の使用状態及び製造過程について、以下に説明する。
アイスクリーム製造前の準備段階としては、保冷剤６が納められたユニット１５，１７，２３を冷蔵庫に入れ、保冷剤６が凍結するまで十分に冷やす。次に、内パーツ１５のドーム状に窪んだ部分（内空間）Ｑにアイスクリーム原料５を入れ、さらに開放口Ｒを蓋２３で塞ぐ。そして、前述の準備段階を経てユニット１５，１７，２３を収めた状態にある各回転体１ａ，１ｂを軸部２ａ，２ｂを介して結合し、さらに、前記軸部２ａ，２ｂに巻き付けられた紐３のリング４に指を通し、これをヨーヨーで遊ぶように紐３の巻き付け、及び巻き戻しを繰り返して行うことで、各回転体１ａ，１ｂに対して縦方向の回転力が付与される。
尚、前記保冷剤６は、塩分含有量が約１５％程度のものを選択しており、これは、−２０℃〜−５℃で凍結・解凍がなされるような性能を有している。また保冷剤６は、製造時において予め外空間Ｐに密閉状態で封入されており、本氷菓子製造器の購入者が自由に取り出すことができない状態にある。これにより例えば、子供が誤って保冷剤６を口にするような事故が確実に回避される。
【００２１】
ここで回転体１ａ，１ｂへの回転力の付与については、内空間Ｑに収められたアイスクリーム原料５の攪拌が行われる。これは本実施形態の氷菓子製造器の構成上、外側に配設された保冷剤６から内側に配設されたアイスクリーム原料５に向けて一方向に冷気が送られることで、アイスクリーム原料５の氷冷に偏りが生じるためであり、回転力の付与に伴ってアイスクリーム原料が攪拌されることで、保冷剤６からの均一な氷冷効果を得られる。また、ヨーヨーで遊ぶように回転力を付与した場合、一般的な氷菓子製造器のように手でハンドルを回すような態様のものと比べて、比較にならない程高速の回転力を付与でき、このことからアイスクリーム原料５を一層均一な状態で、且つ短時間で氷冷できると推測される。
【００２２】
また図７及び図８にそれぞれ示すものは、本氷菓子製造器の他の実施形態であり、カバー部８の外周面において放射状に配置された凸状面２２を設け、使用時におけるカバー部８外周面への指の引掛かり部分を形成している。これにより例えば、保冷剤６の冷却作用に伴ってカバー部８の外周面に結露が生じた場合であっても、指の引掛かりによる滑り止めの効果が付与されるので、手が滑ることなく一層の使用感の向上が得られるようになる。
【００２３】
また図９及び図１０のそれぞれに示すものは、ベース部７の溝１１の外周壁２における切欠１２との隔たりに近い箇所に、当該溝１１を塞ぐような状態で突出する垂下片２８を設けたものである。このようにすると、使用時の遠心力でカバー部８がベース部７から回転した際、溝１１内を摺動した各鍔部１０が各垂下片２８に当たってそれ以上の摺動を規制される。さらに摺動を止められた各鍔部１０の溝１１内での位置が、各鍔部１０と外周壁２４との係止可能な位置となり、使用時に各鍔部１１が切欠１２と一致するタイミングを起こすことなく、ベース部７とカバー部８とが嵌合状態を保つことができる。
尚、本氷菓子製造器では例えば、ベース部７側に鍔１０を設け、カバー部８側に溝１１及び切欠１２を設けることも可能であり（図示省略）、この場合であっても前述した各実施形態と同様の作用効果を発揮することとなる。
【００２４】
さらに本実施形態では、保冷剤６の成分を表１のよう配合している。
ここで主成分となる塩化カリウムは、保冷剤６に配合すれば、氷結時に−１３〜−１６℃の氷を形成できる。この結果、回転体１ａ，１ｂの各外空間Ｐ，Ｐにそれぞれ収められた各保冷剤６，６の全体が氷部分で占められることで、使用時、ヨーヨーのように紐３の巻き取り／巻き戻しを繰り返して回転体１ａ，１ｂを上下動させた際の左右へのふらつきがなくなり、効率的なアイスクリームの製造と共に、好適な使用感を相乗的に得られるようになる。さらに本実施形態では、前記塩化カリウムの配合割合を保冷剤６全体の重量比で１５．０％としているが、重量比で約１０〜２０％の範囲内であれば、ほぼ確実に保冷剤６全体が氷部分で占められると推測される。またC.M.C（カルボキシメチルセルロース）は、白色〜類白色の粉末であり、その性状は温水だけでなく冷水にも溶解し、溶解時には増粘性を呈するものである。このカルボキシメチルセルロースを保冷剤６の成分として重量比で１．０〜２．０％の範囲内で加えることにより、保冷剤６が粘結性を呈するので、これにより、外空間Ｐに入れた保冷剤６がアイスクリーム原料５を包む状態を長時間保ち、この保冷剤６によるアイスクリーム原料５への冷却効果の持続を僅かながら延長できると推測される。
【００２５】
【表１】
2005348723.tif 000003
【図面の簡単な説明】
【００２６】
【図１】本発明の氷菓子製造器の正面図である。
【図２】図１の縦断面図である。
【図３】本発明の氷菓子製造器の側面図である。
【図４】図３のＡ−Ａ線を断面し、本発明のベース体とカバー体との取付構造を説明した図である。
【図５（ａ）（ｂ）】本発明のストッパーの作用状態を説明する図である。
【図６】ユニットの構成を説明する各パーツの分解図である。
【図７】本発明の氷菓子製造器の他の実施形態を示す正面図である。
【図８】図７の氷菓子製造器の側面図である。
【図９】同じく、本発明の氷菓子製造器の他の実施形態を示す正面図である。
【図１０】図９のＢ−Ｂ線を縦断面し、本発明のベース体とカバー体との取付構造を説明した図である。
【符号の説明】
【００２７】
１ａ，１ｂ  回転体
２ａ，２ｂ  軸部
３  紐
５  アイスクリーム原料（氷菓子原料）
６  保冷剤
７  ベース部
８  カバー部
１０  鍔
１１  溝
１２  切欠
１３ａ  片状部位（分割された部位）
１３ｂ  押圧部位（分割された部位）
１４  突起
１５  内パーツ（ユニット）
１７  外パーツ（ユニット）
２２  凸状面（凹凸面）
２３  蓋（ユニット）
２４  外側壁
Ｐ  外空間
Ｑ  内空間
Ｌ  スリット
Ｒ  開放口
Ｓ  空間
【図１】
2005348723.tif 000004
【図２】
2005348723.tif 000005
【図３】
2005348723.tif 000006
【図４】
2005348723.tif 000007
【図５（ａ）（ｂ）】
2005348723.tif 000008
【図６】
2005348723.tif 000009
【図７】
2005348723.tif 000010
【図８】
2005348723.tif 000011
【図９】
2005348723.tif 000012
【図１０】
2005348723.tif 000013